(57)【特許請求の範囲】
【請求項１】
透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたコモンモードチョークと、誘導コイルの中心軸と略直交する面内に配置され、コモンモードチョークが実装された回路基板とを備え、コモンモードチョークは、回路基板において、誘導コイルに発生する磁束によってコモンモードチョークのコア内に発生する磁束が互いに打ち消し合うような位置に配置されたことを特徴とする無電極放電灯点灯装置。
【請求項２】
コモンモードチョークは、回路基板において、回路基板の端部とコモンモードチョークとの間の距離よりも、誘導コイルの中心軸が回路基板と交差する点とコモンモードチョークとの間の距離の方が短くなる位置に配置されたことを特徴とする請求項１記載の無電極放電灯点灯装置。
【請求項３】
コモンモードチョークの少なくとも一部は、誘導コイルの中心軸が回路基板と交差する点に位置することを特徴とする請求項２記載の無電極放電灯点灯装置。
【請求項４】
透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたノーマルモードチョークと、誘導コイルの中心軸と略直交する面内に配置され、ノーマルモードチョークが実装された回路基板とを備え、回路基板において誘導コイルに発生する磁束によりノーマルモードチョークに起電力が発生する位置にノーマルモードチョークが配置されたことを特徴とする無電極放電灯点灯装置。
【請求項５】
ノーマルモードチョークは、回路基板において、回路基板の端部とノーマルモードチョークとの間の距離よりも、誘導コイルの中心軸が回路基板と交差する点とノーマルモードチョークとの間の距離の方が長くなる位置に配置されたことを特徴とする請求項４記載の無電極放電灯点灯装置。
【請求項６】
透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に夫々接続されたコモンモードチョーク及びノーマルモードチョークと、誘導コイルの中心軸と略直交する面内に配置され、コモンモードチョーク及びノーマルモードチョークが実装された回路基板とを備え、回路基板において、誘導コイルに発生する磁束によってコモンモードチョークのコア内に発生する磁束が互いに打ち消し合うような位置にコモンモードチョークが配置されるとともに、誘導コイルに発生する磁束によりノーマルモードチョークに起電力が発生する位置にノーマルモードチョークが配置されたことを特徴とする無電極放電灯点灯装置。
【請求項７】
コモンモードチョークは、回路基板において、回路基板の端部とコモンモードチョークとの間の距離よりも、誘導コイルの中心軸が回路基板と交差する点とコモンモードチョークとの間の距離の方が短くなる位置に配置されると共に、ノーマルモードチョークは、回路基板において、回路基板の端部とノーマルモードチョークとの間の距離よりも、誘導コイルの中心軸が回路基板と交差する点とノーマルモードチョークとの間の距離の方が長くなる位置に配置されたことを特徴とする請求項６記載の無電極放電灯点灯装置。
【請求項８】
透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたコモンモードチョークと、コモンモードチョークが実装された回路基板とを備え、コモンモードチョークは、コモンモードチョークのコイル部の中心軸が誘導コイルのコイル部の中心軸と略直交するようにして回路基板に配置されたことを特徴とする無電極放電灯点灯装置。
【請求項９】
ガラスバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたノーマルモードチョークと、ノーマルモードチョークが実装された回路基板とを備え、ノーマルモードチョークは、ノーマルモードチョークのコイル部の中心軸が誘導コイルのコイル部の中心軸と略平行になるようにして回路基板に配置されたことを特徴とする無電極放電灯点灯装置。
【請求項１０】
透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に夫々接続されたコモンモードチョーク及びノーマルモードチョークと、コモンモードチョーク及びノーマルモードチョークが実装された回路基板とを備え、コモンモードチョークは、コモンモードチョークのコイル部の中心軸が誘導コイルのコイル部の中心軸と略直交するようにして回路基板に配置され、ノーマルモードチョークは、ノーマルモードチョークのコイル部の中心軸が、誘導コイルのコイル部の中心軸と略平行になり、且つ、コモンモードチョークのコイル部の中心軸と交差しないような回路基板の位置に配置されたことを特徴とする無電極放電灯点灯装置。
【請求項１１】
ノーマルモードチョークの近傍で、誘導コイルの発生する高周波電磁界の位相とノーマルモードチョークの発生する高周波電磁界の位相とを略同位相にしたことを特徴とする請求項４、５、６、７、９又は１０の何れかに記載の無電極放電灯点灯装置。
【請求項１２】
回路基板は誘導コイルの中心軸と略直交する面内に配置され、コモンモードチョークはトロイダル型のコアを有し、コモンモードチョークは、前記コアの周面を回路基板と対向させるようにして回路基板に配置されたことを特徴とする請求項１、２、３、６又は７の何れかに記載の無電極放電灯点灯装置。
【請求項１３】
高周波電源回路と誘導コイルとの間のインピーダンスを整合するマッチング回路を有し、上記コモンモードチョークはマッチング回路の構成素子であることを特徴とする請求項１、２、３、６、７、８、１０又は１２の何れかに記載の無電極放電灯点灯装置。
【請求項１４】
高周波電源回路と誘導コイルとの間のインピーダンスを整合するマッチング回路を有し、上記ノーマルモードチョークはマッチング回路の構成素子であることを特徴とする請求項４、５、６、７、９、１０又は１１の何れかに記載の無電極放電灯点灯装置。
【請求項１５】
透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、少なくともコモンモードチョークを含み高周波電源回路と誘導コイルとの間のインピーダンスを整合するマッチング回路と、誘導コイルの中心軸と略直交する面内に配置され、少なくとも前記コモンモードチョークが実装された回路基板とを備え、コモンモードチョークは、回路基板において、誘導コイルに発生する磁束によってコモンモードチョークのコア内に発生する磁束が互いに打ち消し合うような位置であって、且つ、回路基板の端部とコモンモードチョークとの間の距離よりも、誘導コイルの中心軸が回路基板と交差する点とコモンモードチョークとの間の距離の方が短くなる部位に配置されたことを特徴とする無電極放電灯点灯装置。
【発明の詳細な説明】
【０００１】
【発明の属する技術分野】
本発明は、無電極放電灯点灯装置に関するものである。
【０００２】
【従来の技術】
図１２に従来の無電極放電灯点灯装置の回路図を示す。この無電極放電灯点灯装置は、ガラス等の透光性材料から形成されたバルブ１ａ内に放電ガスを封入した無電極放電灯１と、無電極放電灯１に高周波電力を供給する高周波電源回路２と、バルブ１ａの周面を巻回する形で形成され、バラン２０を介して高周波電源回路２に接続された誘導コイル３とで構成される（特開平９−９２２２９号公報参照）。
【０００３】
本回路では高周波電源回路２が動作すると、高周波電源回路２から誘導コイル３に高周波電流が流れ、誘導コイル３のまわりに高周波電磁界を発生させることにより、バルブ１ａ内の放電ガスを励起発光させている。そのため、このような無電極放電灯点灯装置では空間に放出されるノイズを抑制するために様々な工夫が必要となり、図１２に示す回路では、誘導コイル３の中点を接地するとともに、高周波電源回路２と誘導コイル３との間にバラン２０を接続することによって、誘導コイル３から空間に放出されるノイズを低減していた。なお、バラン２０とは、「Balance to Unbalance transformer 」の略称であり、平衡型回路から不平衡型回路への変換のために用いられる回路である。
【０００４】
【発明が解決しようとする課題】
上記構成の無電極放電灯点灯装置では、誘導コイル３の中点を接地するとともに、高周波電源回路２と誘導コイル３との間にバラン２０を接続することによって、動作周波数の基本波成分に起因するノイズを低減しているが、高調波ノイズについての対策は為されていなかった。そこで、バラン２０の代わりにコモンモードチョークを設けることにより、この部分での高周波領域におけるインピーダンスを大きくし、高調波ノイズの減衰量を大きくすることが考えられる。
【０００５】
バラン２０の代わりにコモンモードチョークを設けた場合、コモンモードチョークでは、高周波電源回路２から誘導コイル３へ流れる電流と、誘導コイル３から高周波電源回路２に戻ってくる電流とを同じにすることで、誘導コイル３から空間にコモンモードノイズが放出されるのを防止している。すなわち、高周波電源回路２から誘導コイル３へ伝わる電流によってコモンモードチョークのコアに発生する磁束と、誘導コイル３から高周波電源回路２に戻る電流によってコモンモードチョークのコアに発生する磁束とが互いに打ち消し合うことにより、コモンモードノイズを低減している。
【０００６】
ところで、無電極放電灯点灯装置では、誘導コイル３から高周波電磁界を発生させており、しかも誘導コイル３の近傍にコモンモードチョークが配置されていたため、コモンモードチョークのコアに、誘導コイル３から発生した高周波電磁界が重畳する虞があった。ここで、コモンモードチョークに外部からの高周波電磁界が重畳すると、コモンモードチョークのコアに磁束が発生し、コモンモードチョーク自体に起電力が発生するため、コモンモードチョークによるノイズ低減効果が低下するばかりでなく、外部から重畳した高周波電磁界によってコモンモードチョークに発生した起電力により、誘導コイル３にノイズが伝わる虞があった。
【０００７】
また、バラン２０の代わりにノーマルモードチョークを設け、この部分での高周波領域におけるインピーダンスを大きくし、高調波ノイズの減衰量を大きくすることも考えられる。ノーマルモードチョークでは、高周波電源回路２から誘導コイル３へ伝達されるノイズ成分の電流に対して、ノーマルモードチョークのコイル部で磁束を発生させ、起電力を発生させることにより、ノイズ成分の通過を阻止し、誘導コイル３から空間にノーマルモードノイズが放出されるのを防止している。しかしながら、誘導コイル３から発生する高周波電磁界が、ノーマルモードチョークのコイル部に発生する磁束を打ち消すように重畳すると、ノーマルモードチョークによるノイズ低減効果が低下するだけでなく、外部から重畳した高周波電磁界によってノーマルモードチョークに起電力が発生し、この起電力によって誘導コイル３にノイズが伝わる虞があった。
【０００８】
また、図１３に示すように、高周波電源回路２の前段に高周波フィルタ２１を設け、高周波電源回路２と高周波フィルタ２１とを金属製ハウジング２２内に収納した無電極放電灯点灯装置も提案されているが（特開平１１−２５９２５号公報参照）、誘導コイル３の発生する高周波電磁界を金属製ハウジング２２で十分に遮断するのは困難であり、高周波電磁界を完全に遮断するためには、金属製ハウジング２２の厚みをかなり厚くしなければならず、装置全体が大型化するという問題があった。また、この無電極放電灯点灯装置では、高周波フィルタ２１が高周波電源回路２の前段に設けられているので、高周波電源回路２で発生したノイズが誘導コイル３に伝わり、誘導コイル３から空間にノイズが放出されるのを高周波フィルタ２１で防止することは出来なかった。
【０００９】
本発明は上記問題点に鑑みて為されたものであり、その目的とするところは、誘導コイルから空間に放出されるノイズを低減した無電極放電灯点灯装置を提供することにある。
【００１０】
【課題を解決するための手段】
上記目的を達成するために、請求項１の発明では、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたコモンモードチョークと、誘導コイルの中心軸と略直交する面内に配置され、コモンモードチョークが実装された回路基板とを備え、コモンモードチョークは、回路基板において、誘導コイルに発生する磁束によってコモンモードチョークのコア内に発生する磁束が互いに打ち消し合うような位置に配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークを、回路基板において、誘導コイルに発生する磁束によってコモンモードチョークのコア内に発生する磁束が互いに打ち消し合うような位置に配置しているので、誘導コイルに発生する磁束がコモンモードチョークのコアに加わったとしても、コア内部で磁束が互いに打ち消し合い、結果的にコア内には磁束が発生していない状態となり、コモンモードチョークに誘導起電力が発生することはなく、コモンモードチョークによるノイズ低減効果が低下するのを防止できる。
【００１１】
請求項２の発明では、請求項１の発明において、コモンモードチョークは、回路基板において、回路基板の端部とコモンモードチョークとの間の距離よりも、誘導コイルの中心軸が回路基板と交差する点とコモンモードチョークとの間の距離の方が短くなる位置に配置されたことを特徴とし、請求項１の発明と同様の作用を奏する。
【００１２】
請求項３の発明では、請求項２の発明において、コモンモードチョークの少なくとも一部は、誘導コイルの中心軸が回路基板と交差する点に位置することを特徴とし、請求項１の発明と同様に、コア全体として磁束が打ち消し合うので、コモンモードチョークに誘導起電力が発生することはなく、コモンモードチョークによるノイズ低減効果が低下するのを防止できる。
【００１３】
請求項４の発明では、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたノーマルモードチョークと、誘導コイルの中心軸と略直交する面内に配置され、ノーマルモードチョークが実装された回路基板とを備え、回路基板において誘導コイルに発生する磁束によりノーマルモードチョークに起電力が発生する位置にノーマルモードチョークが配置されたことを特徴とし、誘導コイルに発生する磁束によってノーマルモードチョークのコア内に磁束が発生し、ノーマルモードチョークに起電力が発生するので、この起電力により高周波電源回路から誘導コイルへノイズ電流が流れるのを防止できる。
【００１４】
請求項５の発明では、請求項４の発明において、ノーマルモードチョークは、回路基板において、回路基板の端部とノーマルモードチョークとの間の距離よりも、誘導コイルの中心軸が回路基板と交差する点とノーマルモードチョークとの間の距離の方が長くなる位置に配置されたことを特徴とし、請求項４の発明と同様の作用を奏する。
【００１５】
請求項６の発明では、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に夫々接続されたコモンモードチョーク及びノーマルモードチョークと、誘導コイルの中心軸と略直交する面内に配置され、コモンモードチョーク及びノーマルモードチョークが実装された回路基板とを備え、回路基板において、誘導コイルに発生する磁束によってコモンモードチョークのコア内に発生する磁束が互いに打ち消し合うような位置にコモンモードチョークが配置されるとともに、誘導コイルに発生する磁束によりノーマルモードチョークに起電力が発生する位置にノーマルモードチョークが配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークを、回路基板において、誘導コイルに発生する磁束によってコモンモードチョークのコア内に発生する磁束が互いに打ち消し合うような位置に配置しているので、誘導コイルに発生する磁束がコモンモードチョークのコアに加わったとしても、コア内部で磁束が互いに打ち消し合い、結果的にコア内には磁束が発生していない状態となり、コモンモードチョークに誘導起電力が発生することはなく、コモンモードチョークによるノイズ低減効果が低下するのを防止できる。しかも、ノーマルモードチョークは回路基板において誘導コイルに発生する磁束によりノーマルモードチョークに起電力が発生する位置に配置されているので、この起電力により高周波電源回路から誘導コイルへノイズ電流が流れるのを防止できる。
【００１６】
請求項７の発明では、請求項６の発明において、コモンモードチョークは、回路基板において、回路基板の端部とコモンモードチョークとの間の距離よりも、誘導コイルの中心軸が回路基板と交差する点とコモンモードチョークとの間の距離の方が短くなる位置に配置されると共に、ノーマルモードチョークは、回路基板において、回路基板の端部とノーマルモードチョークとの間の距離よりも、誘導コイルの中心軸が回路基板と交差する点とノーマルモードチョークとの間の距離の方が長くなる位置に配置されたことを特徴とし、請求項６の発明と同様の作用を奏する。
【００１７】
請求項８の発明では、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたコモンモードチョークと、コモンモードチョークが実装された回路基板とを備え、コモンモードチョークは、コモンモードチョークのコイル部の中心軸が誘導コイルのコイル部の中心軸と略直交するようにして回路基板に配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークのコイル部の中心軸は誘導コイルのコイル部の中心軸と略直交しているので、誘導コイルに発生した磁束は、コモンモードチョークのコイル部に対してその中心軸と略直交する方向から加わるため、誘導コイルに磁束が発生したとしても、コモンモードチョークに起電力が発生することはなく、コモンモードチョークによるノイズ低減効果が低下するのを防止できる。
【００１８】
請求項９の発明では、ガラスバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたノーマルモードチョークと、ノーマルモードチョークが実装された回路基板とを備え、ノーマルモードチョークは、ノーマルモードチョークのコイル部の中心軸が誘導コイルのコイル部の中心軸と略平行になるようにして回路基板に配置されたことを特徴とし、ノーマルモードチョークのコイル部の中心軸は誘導コイルのコイル部の中心軸と略平行になっているので、誘導コイルに発生した磁束は、ノーマルモードチョークのコイル部に対してその中心軸と略平行な方向から鎖交するため、誘導コイルに磁束が発生すると、ノーマルモードチョークに起電力が発生し、この起電力により高周波電源回路から誘導コイルへノイズ電流が流れるのを防止できる。
【００１９】
請求項１０の発明では、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に夫々接続されたコモンモードチョーク及びノーマルモードチョークと、コモンモードチョーク及びノーマルモードチョークが実装された回路基板とを備え、コモンモードチョークは、コモンモードチョークのコイル部の中心軸が誘導コイルのコイル部の中心軸と略直交するようにして回路基板に配置され、ノーマルモードチョークは、ノーマルモードチョークのコイル部の中心軸が、誘導コイルのコイル部の中心軸と略平行になり、且つ、コモンモードチョークのコイル部の中心軸と交差しないような回路基板の位置に配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークのコイル部の中心軸は誘導コイルのコイル部の中心軸と略直交しているので、誘導コイルに発生した磁束は、コモンモードチョークのコイル部に対してその中心軸と略直交する方向から加わるため、誘導コイルに磁束が発生したとしても、コモンモードチョークに起電力が発生することはなく、コモンモードチョークによるノイズ低減効果が低下するのを防止できる。しかも、ノーマルモードチョークのコイル部の中心軸は誘導コイルのコイル部の中心軸と略平行になっているので、誘導コイルに発生した磁束は、ノーマルモードチョークのコイル部に対してその中心軸と略平行な方向から鎖交するため、誘導コイルに磁束が発生すると、ノーマルモードチョークに起電力が発生し、この起電力により高周波電源回路から誘導コイルへノイズ電流が流れるのを防止でき、且つ、ノーマルモードチョークのコイル部の中心軸は、コモンモードチョークのコイル部の中心軸と交差しないように配置されているので、ノーマルモードチョークに発生する磁束がコモンモードチョークのコイル部に鎖交して、コモンモードチョークに影響を与えるのを防止できる。
【００２０】
請求項１１の発明では、請求項４、５、６、７、９及び１０の発明において、ノーマルモードチョークの近傍で、誘導コイルの発生する高周波電磁界の位相とノーマルモードチョークの発生する高周波電磁界の位相とを略同位相にしたことを特徴とし、誘導コイルの発生する磁界によってノーマルモードチョークに発生する起電力が、高周波電源回路から誘導コイルに流れるノイズ電流によってノーマルモードチョークに発生する起電力を高める方向に加算されるように、誘導コイルの発生する磁界を作用させることができ、ノーマルモードチョークによるノイズ低減効果を高めることができる。
【００２１】
請求項１２の発明では、請求項１、２、３、６及び７の発明において、回路基板は誘導コイルの中心軸と略直交する面内に配置され、コモンモードチョークはトロイダル型のコアを有し、コモンモードチョークは、前記コアの周面を回路基板と対向させるようにして回路基板に配置されたことを特徴とし、コモンモードチョークは、コアの周面を回路基板と対向するようにして回路基板に配置されているため、コアの回路基板上への投影面積を最小にすることができ、誘導コイルに発生する磁束によってコアに発生する磁束を少なくできるから、誘導コイルの発生する高周波電磁界によってコモンモードチョークに起電力が発生し、コモンモードチョークのノイズ低減効果が低下するのを防止できる。
【００２２】
請求項１３の発明では、請求項１、２、３、６、７、８、１０及び１２の発明において、高周波電源回路と誘導コイルとの間のインピーダンスを整合するマッチング回路を有し、上記コモンモードチョークはマッチング回路の構成素子であることを特徴とし、ノイズを低減するために設けたコモンモードチョークを、マッチング回路の構成素子に兼用しているので、マッチング回路の構成素子の数を減らすことができ、コストダウンを図ることができる。
【００２３】
請求項１４の発明では、請求項４、５、６、７、９、１０及び１１の発明において、高周波電源回路と誘導コイルとの間のインピーダンスを整合するマッチング回路を有し、上記ノーマルモードチョークはマッチング回路の構成素子であることを特徴とし、ノイズを低減するために設けたノーマルモードチョークを、マッチング回路の構成素子に兼用しているので、マッチング回路の構成素子の数を減らすことができ、コストダウンを図ることができる。
【００２４】
請求項１５の発明では、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、少なくともコモンモードチョークを含み高周波電源回路と誘導コイルとの間のインピーダンスを整合するマッチング回路と、誘導コイルの中心軸と略直交する面内に配置され、少なくとも前記コモンモードチョークが実装された回路基板とを備え、コモンモードチョークは、回路基板において、誘導コイルに発生する磁束によってコモンモードチョークのコア内に発生する磁束が互いに打ち消し合うような位置であって、且つ、回路基板の端部とコモンモードチョークとの間の距離よりも、誘導コイルの中心軸が回路基板と交差する点とコモンモードチョークとの間の距離の方が短くなる部位に配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークを、回路基板において、誘導コイルに発生する磁束によってコモンモードチョークのコア内に発生する磁束が互いに打ち消し合うような位置に配置しているので、誘導コイルに発生する磁束がコモンモードチョークのコアに加わったとしても、コア内部で磁束が互いに打ち消し合い、結果的にコア内には磁束が発生していない状態となり、コモンモードチョークに誘導起電力が発生することはなく、コモンモードチョークによるノイズ低減効果が低下するのを防止できる。しかもノイズを低減するために設けたコモンモードチョークを、マッチング回路の構成素子に兼用しているので、マッチング回路の構成素子の数を減らすことができ、コストダウンを図ることができる。
【００２５】
【発明の実施の形態】
本発明の実施の形態を図面を参照して説明する。
【００２６】
（実施形態１）
本実施形態の無電極放電灯点灯装置の概略構成図を図１（ａ）に示す。この無電極放電灯点灯装置は、ガラス等の透光性材料から形成されたバルブ１ａ内に放電ガスを封入した無電極放電灯１と、無電極放電灯１に高周波電力を供給する高周波電源回路２と、バルブ１ａを巻回するようにして無電極放電灯１に近接配置され、高周波電源回路２の高周波電力が供給されて、無電極放電灯１に高周波電磁界を発生させる誘導コイル３と、高周波電源回路２と誘導コイル３との間を電気的に接続するコモンモードチョーク５と、略平板状であって、誘導コイル３のコイル部３ａの中心軸Ｌ１と略直交する面内に配置され、コモンモードチョーク５が実装された回路基板４とで構成される。
【００２７】
ところで、回路基板４を含む平面内において、誘導コイル３に発生する磁束は、コイル部３ａの中心軸Ｌ１と回路基板４とが交差する点Ｐ１に対して対称になっているので、中心軸Ｌ１が交差する点Ｐ１の近傍にコモンモードチョーク５を配置すれば、誘導コイル３の発生する磁束によってコモンモードチョーク５のコア（図示せず）内に磁束が発生したとしても、コア内部で磁束が互いに打ち消し合い、コア全体としては磁束が加わっていない状態とすることができる。すなわち、本実施形態では、図１（ｂ）に示すように、回路基板４において、誘導コイル３に発生する磁束によってコモンモードチョーク５のコア内に発生する磁束が互いに打ち消し合うような位置であって、且つ、回路基板４の端部とコモンモードチョーク５との間の距離Ｄ１よりも、コイル部３ａの中心軸Ｌ１が回路基板４と交差する点Ｐ１とコモンモードチョーク５との間の距離Ｄ２の方が短くなるような位置に配置されている。尚、距離Ｄ１よりも距離Ｄ２の方が短くなるような位置にコモンモードチョーク５を配置すると、コモンモードチョーク５が点Ｐ１付近に存在するように距離Ｄ１，Ｄ２は設定されている。
【００２８】
ここで、誘導コイル３のコイル部３ａに高周波電流が流れると、コイル部３ａに磁束が発生し、回路基板４を含む平面内では点Ｐ１を中心として対称な磁束が発生する。コモンモードチョーク５では、高周波電源回路２から誘導コイル３へ伝わる電流によってコモンモードチョーク５のコアに発生する磁束と、誘導コイル３から高周波電源回路２に戻る電流によってコモンモードチョーク５のコアに発生する磁束とが互いに打ち消し合うことにより、コモンモードノイズを低減しているのであるが、コモンモードチョーク５を誘導コイル３の中心軸Ｌ１が回路基板４と交差する点Ｐ１付近に配置することによって、誘導コイル３に発生する磁束がコモンモードチョーク５のコアに加わったとしても、誘導コイル３に発生する磁束によって、コモンモードチョーク５のコアに加わる磁束が互いに打ち消し合い、結果的にコア内に磁束が発生しないから、誘導コイル３に発生する磁束によって、コモンモードチョーク５に起電力が発生するのを防止できる。したがって、コモンモードチョーク５によるノイズ低減効果が低下することはなく、またコモンモードチョーク５から誘導コイル３にノイズが伝わることもない。
【００２９】
ところで、本実施形態では、コモンモードチョーク５を、誘導コイル３のコイル部３ａの中心軸Ｌ１が回路基板４と交差する点Ｐ１からずらして配置しているが、図２（ａ）（ｂ）に示すように、誘導コイル３のコイル部３ａの中心軸Ｌ１が回路基板４と交差する点Ｐ１にコモンモードチョーク５を配置しても良い。尚、点Ｐ１は上述の距離Ｄ２が０となる位置である。
【００３０】
回路基板４では、コイル部３ａの中心軸Ｌ１と交差する点Ｐ１付近が、誘導コイル３の発生する磁束が最も均一になる位置であるから、コモンモードチョーク５のコア全体に誘導コイル３の磁束が均一に加わり、コア全体として磁束が打ち消し合うので、コモンモードチョーク５に起電力が発生するのを防止できる。したがって、コモンモードチョーク５によるノイズ低減効果が低下することはなく、またコモンモードチョーク５から誘導コイル３にノイズが伝わることもない。
【００３１】
（実施形態２）
本実施形態の無電極放電灯点灯装置の概略構成図を図３（ａ）に示す。実施形態１の無電極放電灯点灯装置では、略球状のバルブ１ａを有する無電極放電灯１を用いていたが、本実施形態ではバルブ１ａの表面に凹所１ｂが形成されており、この凹所１ｂ内に誘導コイル３が配置されている。また実施形態１の無電極放電灯点灯装置では、高周波電源回路２と誘導コイル３との間にコモンモードチョーク５を電気的に接続しているが、本実施形態では、高周波電源回路２と誘導コイル３との間にノーマルモードチョーク６を電気的に接続しており、ノーマルモードチョーク６は、コイル部３ａの中心軸Ｌ１と略直交する面内に配置された回路基板４上に実装されている。尚、無電極放電灯１及びノーマルモードチョーク６以外の構成は実施形態１の無電極放電灯点灯装置と同様であるので、同一の構成要素には同一の符号を付して、その説明を省略する。
【００３２】
ここで、ノーマルモードチョーク６は、図３（ｂ）に示すように、回路基板４において、誘導コイル３の発生する磁束によってノーマルモードチョーク６に起電力が発生する位置であって、且つ、回路基板４の端部とノーマルモードチョーク６との間の距離Ｄ３よりも、コイル部３ａの中心軸Ｌ１が回路基板４と交差する点Ｐ１とノーマルモードチョーク６との間の距離Ｄ４の方が長くなるような位置に配置されている。このような位置にノーマルモードチョーク６を配設することによって、ノーマルモードチョーク６のコアに加わる誘導コイル３の磁束を不均一にすることができ、誘導コイル３の発生する磁束によってノーマルモードチョーク６のコア内に発生すると、コア内に発生した磁束が全て打ち消し合うことはないから、コア内に磁束が発生し、ノーマルモードチョーク６に起電力が発生する。したがって、この起電力により高周波電源回路２から誘導コイル３に伝わるノイズが低減され、ノーマルモードチョーク６によるノイズ低減効果が低下することはなく、ノイズ低減効果を高めることができる。
【００３３】
（実施形態３）
本実施形態の無電極放電灯点灯装置の概略構成図を図４（ａ）に示す。実施形態１又は２の無電極放電灯点灯装置では、高周波電源回路２と誘導コイル３との間に、コモンモードチョーク５又はノーマルモードチョーク６の内の何れか一方を電気的に接続しているが、本実施形態の無電極放電灯点灯装置では、高周波電源回路２と誘導コイル３との間に、コモンモードチョーク５及びノーマルモードチョーク６の両方を電気的に接続しており、コモンモードチョーク５及びノーマルモードチョーク６は、コイル部３ａの中心軸Ｌ１と略直交する面内に配置された回路基板４上に実装されている。尚、高周波電源回路２と誘導コイル３との間にコモンモードチョーク５及びノーマルモードチョーク６の両方を電気的に接続した点以外の構成は実施形態１又は２の無電極放電灯点灯装置と同様であるので、同一の構成要素には同一の符号を付して、その説明を省略する。
【００３４】
ここで、コモンモードチョーク５は、図４（ｂ）に示すように、回路基板４において、誘導コイル３に発生する磁束によってコモンモードチョーク５のコア内に発生する磁束が互いに打ち消し合うような位置であって、且つ、回路基板４の端部とコモンモードチョーク５との間の距離Ｄ１よりも、コイル部３ａの中心軸Ｌ１が回路基板４と交差する点Ｐ１とコモンモードチョーク５との間の距離Ｄ２の方が短くなるような位置に配置されている。このような位置にコモンモードチョーク５を配設することによって、実施形態１と同様に、誘導コイル３に発生する磁束がコモンモードチョーク５のコアに加わったとしても、誘導コイル３に発生する磁束によって、コモンモードチョーク５のコアに加わる磁束が互いに打ち消し合い、結果的にコア内に磁束が発生しないから、誘導コイル３に発生する磁束によって、コモンモードチョーク５に起電力が発生するのを防止できる。したがって、コモンモードチョーク５によるノイズ低減効果が低下することはなく、またコモンモードチョーク５から誘導コイル３にノイズが伝わることもない。
【００３５】
また、ノーマルモードチョーク６は、回路基板４において、誘導コイル３に発生する磁束によってノーマルモードチョーク６に起電力が発生する位置であって、且つ、回路基板４の端部とノーマルモードチョーク６との間の距離Ｄ３よりも、コイル部３ａの中心軸Ｌ１が回路基板４と交差する点Ｐ１とノーマルモードチョーク６との間の距離Ｄ４の方が長くなるような位置に配置されている。このような位置にノーマルモードチョーク６を配設することによって、誘導コイル３の発生する磁束によってノーマルモードチョーク６のコア内に発生すると、コア内に発生した磁束が全て打ち消し合うことはないから、コア内に磁束が発生し、ノーマルモードチョーク６に起電力が発生する。したがって、この起電力により高周波電源回路２から誘導コイル３に伝わるノイズが低減され、ノーマルモードチョーク６によるノイズ低減効果が低下することはなく、ノイズ低減効果を高めることができる。
【００３６】
（実施形態４）
本実施形態の無電極放電灯点灯装置の概略構成図を図５（ａ）に示す。この無電極放電灯点灯装置は、上述した実施形態１の無電極放電灯点灯装置と略同様の構成を有しており、ガラス等の透光性材料から形成されたバルブ１ａ内に放電ガスを封入した無電極放電灯１と、無電極放電灯１に高周波電力を供給する高周波電源回路２と、バルブ１ａを巻回するようにして無電極放電灯１に近接配置され、高周波電源回路２の高周波電力が供給されて、無電極放電灯１に高周波電磁界を発生させる誘導コイル３と、高周波電源回路２と誘導コイル３との間を電気的に接続するコモンモードチョーク５と、略平板状であって、コイル部３ａの中心軸Ｌ１と略直交する面内に配置され、コモンモードチョーク５が実装された回路基板４とで構成される。
【００３７】
ここで、コモンモードチョーク５は、そのコイル部（図示せず）の中心軸Ｌ２が、誘導コイル３のコイル部３ａの中心軸Ｌ１と略直交するようにして回路基板４上に配置されている。このため、誘導コイル３の発生する高周波電磁界によって、コモンモードチョーク５のコアに磁束が加わったとしても、この磁束はコモンモードチョーク５のコイル部の中心軸Ｌ２と略直交しているので、コモンモードチョーク５のコイル部に起電力が発生することはない。したがって、コモンモードチョーク５を介して高周波電源回路２から誘導コイル３に伝わる電流と、誘導コイル３から高周波電源回路２へ戻る電流とを略同じにでき、誘導コイル３から空間へノイズが放出されるのを防止することができ、且つ、コモンモードチョーク５から誘導コイル３へノイズが供給されることもない。
【００３８】
また、コモンモードチョーク５として、図５（ｂ）に示すようなトロイダル型のコアに巻線が巻回されて構成されるチョークを用いた場合、コイル部の中心軸Ｌ２’は円周状になるが、この場合でもコモンモードチョーク５のコイル部の中心軸Ｌ２’が誘導コイル３のコイル部の中心軸Ｌ１と略直交するようにして、回路基板４にコモンモードチョーク５を実装すれば、上述と同様、誘導コイル３の発生する高周波電磁界によって、コモンモードチョーク５のコアに磁束が発生したとしても、この磁束はコモンモードチョーク５のコイル部の中心軸Ｌ２’と略直交しているので、コモンモードチョーク５のコイル部に起電力が発生することはなく、同様の効果が得られる。
【００３９】
（実施形態５）
本実施形態の無電極放電灯点灯装置の概略構成図を図６に示す。この無電極放電灯点灯装置は、上述した実施形態２の無電極放電灯点灯装置と略同様の構成を有しており、ガラス等の透光性材料から形成されたバルブ１ａ内に放電ガスを封入した無電極放電灯１と、無電極放電灯１に高周波電力を供給する高周波電源回路２と、バルブ１ａを巻回するようにして無電極放電灯１に近接配置され、高周波電源回路２の高周波電力が供給されて、無電極放電灯１に高周波電磁界を発生させる誘導コイル３と、高周波電源回路２と誘導コイル３との間を電気的に接続するノーマルモードチョーク６と、略平板状であって、コイル部３ａの中心軸Ｌ１を含む面内に配置され、ノーマルモードチョーク６が実装された回路基板４とで構成される。
【００４０】
ここで、ノーマルモードチョーク６は、そのコイル部（図示せず）の中心軸Ｌ３が、誘導コイル３のコイル部３ａの中心軸Ｌ１と略平行になるようにして回路基板４上に配置されている。このため、誘導コイル３に発生する高周波電磁界によって、ノーマルモードチョーク６のコイル部に磁束を効率的に発生させることができ、ノーマルモードチョーク６に起電力が発生し、この起電力によって高周波電源回路２から誘導コイル３へノイズが伝わるのを防止できる。
【００４１】
（実施形態６）
本実施形態の無電極放電灯点灯装置の概略構成図を図７に示す。この無電極放電灯点灯装置は、上述した実施形態４又は５の無電極放電灯点灯装置と略同様の構成を有しており、ガラス等の透光性材料から形成されたバルブ１ａ内に放電ガスを封入した無電極放電灯１と、無電極放電灯１に高周波電力を供給する高周波電源回路２と、バルブ１ａを巻回するようにして無電極放電灯１に近接配置され、高周波電源回路２の高周波電力が供給されて、無電極放電灯１に高周波電磁界を発生させる誘導コイル３と、高周波電源回路２と誘導コイル３との間に電気的に夫々接続されたコモンモードチョーク５及びノーマルモードチョーク６と、略平板状であって、コイル部３ａの中心軸Ｌ１と略直交するよう面内に配置され、コモンモードチョーク５及びノーマルモードチョーク６が実装された回路基板４とで構成される。
【００４２】
ここで、コモンモードチョーク５は、そのコイル部（図示せず）の中心軸Ｌ２が、誘導コイル３の中心軸Ｌ１と略直交するようにして回路基板４上に配置されている。このため、誘導コイル３の発生する高周波電磁界によって、コモンモードチョーク５のコアに磁束が加わったとしても、この磁束はコモンモードチョーク５のコイル部の中心軸Ｌ２と略直交しているので、コモンモードチョーク５のコイル部に起電力が発生することはない。したがって、コモンモードチョーク５を介して高周波電源回路２から誘導コイル３に伝わる電流と、誘導コイル３から高周波電源回路２へ戻る電流とを略同じにでき、誘導コイル３から空間へノイズが放出されるのを防止することができ、且つ、コモンモードチョーク５から誘導コイル３へノイズが供給されることもない。
【００４３】
また、ノーマルモードチョーク６は、そのコイル部（図示せず）の中心軸Ｌ３が、誘導コイル３のコイル部３ａの中心軸Ｌ１と略平行になり、且つ、コモンモードチョーク５のコイル部の中心軸Ｌ２と交差しないような回路基板の位置に配置されている。このため、誘導コイル３に発生する高周波電磁界によって、ノーマルモードチョーク６のコイル部に磁束を効率的に発生させることができ、ノーマルモードチョーク６に起電力が発生し、この起電力によって高周波電源回路２から誘導コイル３へノイズが伝わるのを防止でき、且つ、ノーマルモードチョーク６の発生する磁束がコモンモードチョーク５に影響を与えることがなく、ノーマルモードチョーク６のノイズ低減効果を低下させることがない。
【００４４】
（実施形態７）
本実施形態の無電極放電灯点灯装置の概略構成図を図８に示す。本実施形態では、上述した実施形態２の無電極放電灯点灯装置において、ノーマルモードチョーク６の近傍で、誘導コイル３の発生する高周波電磁界の位相と、ノーマルモードチョーク６の発生する高周波電磁界の位相とが略同位相になるような位置に、ノーマルモードチョーク６を実装している。また、表面に凹所１ｂが形成されたバルブ１の代わりに、略球状のバルブ１ａを有する無電極放電灯１を用いている。尚、無電極放電灯１及びノーマルモードチョーク６の配置以外の構成は実施形態２の無電極放電灯点灯装置と同様であるので、同一の構成要素には同一の符号を付して、その説明を省略する。
【００４５】
この無電極放電灯点灯装置では、ノーマルモードチョーク６の近傍で、誘導コイル３の発生する高周波電磁界の位相と、ノーマルモードチョーク６の発生する高周波電磁界の位相とが略同位相になっているので、誘導コイル３の発生する磁束を、ノーマルモードチョーク６のコイル部に効率良く重畳させることができる。ノーマルモードチョーク６では、コイル部に磁束が鎖交することにより発生した起電力によって、高周波電源回路２から誘導コイル３へ伝わるノイズ成分がノーマルモードチョーク６を通過するのを阻止しているのであるが、上述のように誘導コイル３の発生する磁束がノーマルモードチョーク６のコイル部に重畳することによって、ノーマルモードチョーク６に発生する起電力が増加し、ノイズ成分の低減効果をさらに高めることができる。尚、重点的に低減させたい周波数成分に対して、誘導コイル３に発生する磁束をノーマルモードチョーク６のコイル部に重畳させるようにすれば、より大きな効果を得ることができる。
【００４６】
尚、上述した実施形態３、５及び６の無電極放電灯点灯装置において、本実施形態と同様に、ノーマルモードチョーク６の近傍で、誘導コイル３の発生する高周波電磁界の位相と、ノーマルモードチョーク６の発生する高周波電磁界の位相とが略同位相になるような位置に、ノーマルモードチョーク６を実装しても良く、上述と同様の効果を得ることができる。
【００４７】
（実施形態８）
図９に本実施形態の無電極放電灯点灯装置の概略構成図を示す。本実施形態では、実施形態１の無電極放電灯点灯装置において、コモンモードチョーク５としてトロイダル型のコア５ａを有するチョークを用いており、コモンモードチョーク５は、コア５ａの回路基板４上への投影面積が最小となるように、コア５ａの周面を回路基板４と対向させるようにして配設されている。尚、コモンモードチョーク５以外の構成は実施形態１の無電極放電灯点灯装置と同様であるので、同一の構成要素には同一の符号を付してその説明を省略する。
【００４８】
本実施形態では、コモンモードチョーク５に、トロイダル型のコア５ａを有するチョークを用いているので、コア５ａに巻回されたコイル部の中心軸が直線状になっておらず、外部の電磁界によってコア５ａに磁束が発生した場合、コモンモードチョーク５に誘導起電力が発生しやすくなっている。ここで、コモンモードチョーク５は、コア５ａの周面が回路基板４と対向するようにして回路基板４上に配置されているため、コア５ａの回路基板４上への投影面積を最小にすることができ、誘導コイル３の発生する磁束によってコア５ａに発生する磁束を少なくできるから、誘導コイル３の発生する高周波電磁界によってコモンモードチョーク５に誘導起電力が発生し、コモンモードチョーク５のノイズ低減効果が低下するのを防止できる。
【００４９】
尚、上述した実施形態３の無電極放電灯点灯装置において、本実施形態と同様に、コモンモードチョーク５としてトロイダル型のコア５ａを有するチョークを用い、コア５ａの回路基板４上への投影面積が最小となるように、コア５ａの周面を回路基板４と対向させるようにしてコモンモードチョーク５を回路基板４に実装しても良く、上述と同様の効果を得ることができる。
【００５０】
（実施形態９）
本実施形態の無電極放電灯点灯装置の回路図を図１０に示す。本実施形態では、実施形態１の無電極放電灯点灯装置において、高周波電源回路２と誘導コイル３とのインピーダンスを整合するマッチング回路７を設けている。マッチング回路７は、上述したコモンモードチョーク５とコンデンサ８，９とで構成されており、マッチング回路７の回路素子は回路基板４に実装されている。尚、マッチング回路７以外の構成は実施形態１の無電極放電灯点灯装置と同様であるので、同一の構成要素には同一の符号を付して、その説明を省略している。
【００５１】
本回路では、誘導コイル３から放出されるノイズを低減するために設けたコモンモードチョーク５を、マッチング回路７の回路部品に兼用しているので、全体として回路素子の数を少なくでき、コストダウンを図ることができる。
【００５２】
尚、実施形態３、４、６及び８の無電極放電灯点灯装置においても、本実施形態と同様、マッチング回路７を設け、コモンモードチョーク５をマッチング回路７の回路部品に兼用するようにしても良いことは言うまでもない。
【００５３】
（実施形態１０）
本実施形態の無電極放電灯点灯装置の回路図を図１１に示す。本実施形態では、実施形態２の無電極放電灯点灯装置において、高周波電源回路２と誘導コイル３とのインピーダンスを整合するマッチング回路７を設けている。マッチング回路７は、上述したノーマルモードチョーク６とコンデンサ１０，１１とで構成され、ノーマルモードチョーク６及びコンデンサ１０，１１は回路基板４上に実装されている。尚、マッチング回路７以外の構成は実施形態２の無電極放電灯点灯装置と同様であるので、同一の構成要素には同一の符号を付して、その説明を省略している。
【００５４】
本回路では、誘導コイル３から放出されるノイズを低減するために設けたノーマルモードチョーク６を、マッチング回路７の回路部品に兼用しているので、全体として回路素子の数を少なくでき、コストダウンを図ることができる。
【００５５】
尚、実施形態３、５、６及び７の無電極放電灯点灯装置においても、本実施形態と同様、マッチング回路７を設け、ノーマルモードチョーク６をマッチング回路７の回路部品に兼用するようにしても良いことは言うまでもない。
【００５６】
【発明の効果】
上述のように、請求項１の発明は、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたコモンモードチョークと、誘導コイルの中心軸と略直交する面内に配置され、コモンモードチョークが実装された回路基板とを備え、コモンモードチョークは、回路基板において、誘導コイルに発生する磁束によってコモンモードチョークのコア内に発生する磁束が互いに打ち消し合うような位置に配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークを、回路基板において、誘導コイルに発生する磁束によってコモンモードチョークのコア内に発生する磁束が互いに打ち消し合うような位置に配置しているので、誘導コイルに発生する磁束がコモンモードチョークのコアに加わったとしても、コア内部で磁束が互いに打ち消し合い、結果的にコア内には磁束が発生していない状態となり、コモンモードチョークに誘導起電力が発生することはなく、コモンモードチョークによるノイズ低減効果が低下するのを防止できるという効果がある。
【００５７】
請求項２の発明は、請求項１の発明において、コモンモードチョークは、回路基板において、回路基板の端部とコモンモードチョークとの間の距離よりも、誘導コイルの中心軸が回路基板と交差する点とコモンモードチョークとの間の距離の方が短くなる位置に配置されたことを特徴とし、請求項１の発明と同様の効果を奏する。
【００５８】
請求項３の発明は、請求項２の発明において、コモンモードチョークの少なくとも一部は、誘導コイルの中心軸が回路基板と交差する点に位置することを特徴とし、請求項１の発明と同様に、コア全体として磁束が打ち消し合うので、コモンモードチョークに誘導起電力が発生することはなく、コモンモードチョークによるノイズ低減効果が低下するのを防止できるという効果がある。
【００５９】
請求項４の発明は、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたノーマルモードチョークと、誘導コイルの中心軸と略直交する面内に配置され、ノーマルモードチョークが実装された回路基板とを備え、回路基板において誘導コイルに発生する磁束によりノーマルモードチョークに起電力が発生する位置にノーマルモードチョークが配置されたことを特徴とし、誘導コイルに発生する磁束によってノーマルモードチョークのコア内に磁束が発生し、ノーマルモードチョークに起電力が発生するので、この起電力により高周波電源回路から誘導コイルへノイズ電流が流れるのを防止できるという効果がある。
【００６０】
請求項５の発明は、請求項４の発明において、ノーマルモードチョークは、回路基板において、回路基板の端部とノーマルモードチョークとの間の距離よりも、誘導コイルの中心軸が回路基板と交差する点とノーマルモードチョークとの間の距離の方が長くなる位置に配置されたことを特徴とし、請求項４の発明と同様の効果を奏する。
【００６１】
請求項６の発明は、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に夫々接続されたコモンモードチョーク及びノーマルモードチョークと、誘導コイルの中心軸と略直交する面内に配置され、コモンモードチョーク及びノーマルモードチョークが実装された回路基板とを備え、回路基板において、誘導コイルに発生する磁束によってコモンモードチョークのコア内に発生する磁束が互いに打ち消し合うような位置にコモンモードチョークが配置されるとともに、誘導コイルに発生する磁束によりノーマルモードチョークに起電力が発生する位置にノーマルモードチョークが配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークを、回路基板において、誘導コイルに発生する磁束によってコモンモードチョークのコア内に発生する磁束が互いに打ち消し合うような位置に配置しているので、誘導コイルに発生する磁束がコモンモードチョークのコアに加わったとしても、コア内部で磁束が互いに打ち消し合い、結果的にコア内には磁束が発生していない状態となり、コモンモードチョークに誘導起電力が発生することはなく、コモンモードチョークによるノイズ低減効果が低下するのを防止できるという効果がある。
【００６２】
しかも、ノーマルモードチョークのコア内に磁束が発生し、ノーマルモードチョークに起電力が発生するので、この起電力により高周波電源回路から誘導コイルへノイズ電流が流れるのを防止できるという効果もある。
【００６３】
請求項７の発明は、請求項６の発明において、コモンモードチョークは、回路基板において、回路基板の端部とコモンモードチョークとの間の距離よりも、誘導コイルの中心軸が回路基板と交差する点とコモンモードチョークとの間の距離の方が短くなる位置に配置されると共に、ノーマルモードチョークは、回路基板において、回路基板の端部とノーマルモードチョークとの間の距離よりも、誘導コイルの中心軸が回路基板と交差する点とノーマルモードチョークとの間の距離の方が長くなる位置に配置されたことを特徴とし、請求項６の発明と同様の効果を奏する。
【００６４】
請求項８の発明は、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたコモンモードチョークと、コモンモードチョークが実装された回路基板とを備え、コモンモードチョークは、コモンモードチョークのコイル部の中心軸が誘導コイルのコイル部の中心軸と略直交するようにして回路基板に配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークのコイル部の中心軸は誘導コイルのコイル部の中心軸と略直交しているので、誘導コイルに発生した磁束は、コモンモードチョークのコイル部に対してその中心軸と略直交する方向から加わるため、誘導コイルに磁束が発生したとしても、コモンモードチョークに起電力が発生することはなく、コモンモードチョークによるノイズ低減効果が低下するのを防止できるという効果がある。
【００６５】
請求項９の発明は、ガラスバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に接続されたノーマルモードチョークと、ノーマルモードチョークが実装された回路基板とを備え、ノーマルモードチョークは、ノーマルモードチョークのコイル部の中心軸が誘導コイルのコイル部の中心軸と略平行になるようにして回路基板に配置されたことを特徴とし、ノーマルモードチョークのコイル部の中心軸は誘導コイルのコイル部の中心軸と略平行になっているので、誘導コイルに発生した磁束は、ノーマルモードチョークのコイル部に対してその中心軸と略平行な方向から鎖交するため、誘導コイルに磁束が発生すると、ノーマルモードチョークに起電力が発生し、この起電力により高周波電源回路から誘導コイルへノイズ電流が流れるのを防止できるという効果がある。
【００６６】
請求項１０の発明は、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、高周波電源回路と誘導コイルとの間に電気的に夫々接続されたコモンモードチョーク及びノーマルモードチョークと、コモンモードチョーク及びノーマルモードチョークが実装された回路基板とを備え、コモンモードチョークは、コモンモードチョークのコイル部の中心軸が誘導コイルのコイル部の中心軸と略直交するようにして回路基板に配置され、ノーマルモードチョークは、ノーマルモードチョークのコイル部の中心軸が、誘導コイルのコイル部の中心軸と略平行になり、且つ、コモンモードチョークのコイル部の中心軸と交差しないような回路基板の位置に配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークのコイル部の中心軸は誘導コイルのコイル部の中心軸と略直交しているので、誘導コイルに発生した磁束は、コモンモードチョークのコイル部に対してその中心軸と略直交する方向から加わるため、誘導コイルに磁束が発生したとしても、コモンモードチョークに起電力が発生することはなく、コモンモードチョークによるノイズ低減効果が低下するのを防止できるという効果がある。
【００６７】
しかも、ノーマルモードチョークのコイル部の中心軸は誘導コイルのコイル部の中心軸と略平行になっているので、誘導コイルに発生した磁束は、ノーマルモードチョークのコイル部に対してその中心軸と略平行な方向から鎖交するため、誘導コイルに磁束が発生すると、ノーマルモードチョークに起電力が発生し、この起電力により高周波電源回路から誘導コイルへノイズ電流が流れるのを防止でき、且つ、ノーマルモードチョークのコイル部の中心軸は、コモンモードチョークのコイル部の中心軸と交差しないように配置されているので、ノーマルモードチョークに発生する磁束がコモンモードチョークのコイル部に鎖交して、コモンモードチョークに影響を与えるのを防止できるという効果もある。
【００６８】
請求項１１の発明は、請求項４、５、６、７、９及び１０の発明において、ノーマルモードチョークの近傍で、誘導コイルの発生する高周波電磁界の位相とノーマルモードチョークの発生する高周波電磁界の位相とを略同位相にしたことを特徴とし、誘導コイルの発生する磁界によってノーマルモードチョークに発生する起電力が、高周波電源回路から誘導コイルに流れるノイズ電流によってノーマルモードチョークに発生する起電力を高める方向に加算されるように、誘導コイルの発生する磁界を作用させることができ、ノーマルモードチョークによるノイズ低減効果を高めることができるという効果がある。
【００６９】
請求項１２の発明は、請求項１、２、３、６及び７の発明において、回路基板は誘導コイルの中心軸と略直交する面内に配置され、コモンモードチョークはトロイダル型のコアを有し、コモンモードチョークは、前記コアの周面を回路基板と対向させるようにして回路基板に配置されたことを特徴とし、コモンモードチョークは、コアの周面を回路基板と対向するようにして回路基板に配置されているため、コアの回路基板上への投影面積を最小にすることができ、誘導コイルに発生する磁束によってコアに発生する磁束を少なくできるから、誘導コイルの発生する高周波電磁界によってコモンモードチョークに起電力が発生し、コモンモードチョークのノイズ低減効果が低下するのを防止できるという効果がある。
【００７０】
請求項１３の発明は、請求項１、２、３、６、７、８、１０及び１２の発明において、高周波電源回路と誘導コイルとの間のインピーダンスを整合するマッチング回路を有し、上記コモンモードチョークはマッチング回路の構成素子であることを特徴とし、ノイズを低減するために設けたコモンモードチョークを、マッチング回路の構成素子に兼用しているので、マッチング回路の構成素子の数を減らすことができ、コストダウンを図ることができるという効果がある。
【００７１】
請求項１４の発明は、請求項４、５、６、７、９、１０及び１１の発明において、高周波電源回路と誘導コイルとの間のインピーダンスを整合するマッチング回路を有し、上記ノーマルモードチョークはマッチング回路の構成素子であることを特徴とし、ノイズを低減するために設けたノーマルモードチョークを、マッチング回路の構成素子に兼用しているので、マッチング回路の構成素子の数を減らすことができ、コストダウンを図ることができるという効果がある。
【００７２】
請求項１５の発明は、透光性材料から形成されたバルブ内に放電ガスを封入した無電極放電灯と、無電極放電灯に高周波電力を供給する高周波電源回路と、無電極放電灯に近接配置され、高周波電源回路の高周波出力が供給され、無電極放電灯に高周波電磁界を発生させる誘導コイルと、少なくともコモンモードチョークを含み高周波電源回路と誘導コイルとの間のインピーダンスを整合するマッチング回路と、誘導コイルの中心軸と略直交する面内に配置され、少なくとも前記コモンモードチョークが実装された回路基板とを備え、コモンモードチョークは、回路基板において、誘導コイルに発生する磁束によってコモンモードチョークのコア内に発生する磁束が互いに打ち消し合うような位置であって、且つ、回路基板の端部とコモンモードチョークとの間の距離よりも、誘導コイルの中心軸が回路基板と交差する点とコモンモードチョークとの間の距離の方が短くなる部位に配置されたことを特徴とし、コモンモードチョークでは、高周波電源回路から誘導コイルへ流れる電流と、誘導コイルから高周波電源回路に戻ってくる電流とを同じにすることで、誘導コイルからコモンモードノイズが空間へ放出されるのを防止しているため、誘導コイルに発生する磁束によってコモンモードチョークに起電力が発生すると、コモンモードチョークによるノイズ低減効果が低下する虞があるが、コモンモードチョークを、回路基板において、誘導コイルに発生する磁束によってコモンモードチョークのコア内に発生する磁束が互いに打ち消し合うような位置に配置しているので、誘導コイルに発生する磁束がコモンモードチョークのコアに加わったとしても、コア内部で磁束が互いに打ち消し合い、結果的にコア内には磁束が発生していない状態となり、コモンモードチョークに誘導起電力が発生することはなく、コモンモードチョークによるノイズ低減効果が低下するのを防止できるという効果がある。しかもノイズを低減するために設けたコモンモードチョークを、マッチング回路の構成素子に兼用しているので、マッチング回路の構成素子の数を減らすことができ、コストダウンを図ることができるという効果もある。
【図面の簡単な説明】
【図１】実施形態１の無電極放電灯点灯装置を示し、（ａ）は概略構成図、（ｂ）は回路基板の部品配置図である。
【図２】同上の別の無電極放電灯点灯装置を示し、（ａ）は概略構成図、（ｂ）は回路基板の部品配置図である。
【図３】実施形態２の無電極放電灯点灯装置を示し、（ａ）は概略構成図、（ｂ）は回路基板の部品配置図である。
【図４】実施形態３の無電極放電灯点灯装置を示し、（ａ）は概略構成図、（ｂ）は回路基板の部品配置図である。
【図５】実施形態４の無電極放電灯点灯装置を示し、（ａ）は概略構成図、（ｂ）は同上に用いるコモンモードチョークの外観斜視図である。
【図６】実施形態５の無電極放電灯点灯装置の概略構成図である。
【図７】実施形態６の無電極放電灯点灯装置の概略構成図である。
【図８】実施形態７の無電極放電灯点灯装置の概略構成図である。
【図９】実施形態８の無電極放電灯点灯装置の概略構成図である。
【図１０】実施形態９の無電極放電灯点灯装置の回路図である。
【図１１】実施形態１０の無電極放電灯点灯装置の回路図である。
【図１２】従来の無電極放電灯点灯装置の回路図である。
【図１３】従来の別の無電極放電灯点灯装置の断面図である。
【符号の説明】
１  無電極放電灯
２  高周波電源回路
３  誘導コイル
４  回路基板
５  コモンモードチョーク
Ｄ１，Ｄ２  距離
Ｌ１  中心軸
Ｐ１  点
【図１】
0003829557.tif 000002
【図２】
0003829557.tif 000003
【図３】
0003829557.tif 000004
【図４】
0003829557.tif 000005
【図５】
0003829557.tif 000006
【図６】
0003829557.tif 000007
【図７】
0003829557.tif 000008
【図８】
0003829557.tif 000009
【図９】
0003829557.tif 000010
【図１０】
0003829557.tif 000011
【図１１】
0003829557.tif 000012
【図１２】
0003829557.tif 000013
【図１３】
0003829557.tif 000014